(57)【要約】【課題】効果的な方法でガスタービンのオンライン洗浄を実行するためのシステムおよび方法を提供する。【解決手段】ガスタービンのオンライン洗浄制御システムは、ガスタービンが位置する領域の地理空間データを取得することができる。ガスタービンのオンライン洗浄制御システムは、地理空間データに基づいてガスタービンの洗浄制御パラメータを決定することができる。【選択図】図１
2015110945.tif 000002
【特許請求の範囲】
【請求項１】
ガスタービン（９０１）と、
地理空間データを取得し、前記地理空間データに基づいてオンライン洗浄パラメータを決定するように構成されるオンライン洗浄コントローラ（９５１）と、を含む、システム（９００）。
【請求項２】
前記オンライン洗浄コントローラ（９５１）は、前記ガスタービン（９０１）のオンライン洗浄を始動するようにさらに構成される、請求項１に記載のシステム（９００）。
【請求項３】
前記オンライン洗浄パラメータを決定するように構成される前記オンライン洗浄コントローラ（９５１）は、オンライン洗浄開始時刻を決定するように構成される前記オンライン洗浄コントローラ（９５１）を含む、請求項１に記載のシステム（９００）。
【請求項４】
前記オンライン洗浄パラメータを決定するように構成される前記オンライン洗浄コントローラ（９５１）は、オンライン洗浄期間を決定するように構成される前記オンライン洗浄コントローラ（９５１）を含む、請求項１に記載のシステム（９００）。
【請求項５】
前記オンライン洗浄パラメータを決定するように構成される前記オンライン洗浄コントローラ（９５１）は、オンライン洗浄流体配合を決定するように構成される前記オンライン洗浄コントローラ（９５１）を含む、請求項１に記載のシステム（９００）。
【請求項６】
前記オンライン洗浄コントローラ（９５１）は、ガスタービン動作係数を取得するようにさらに構成され、前記オンライン洗浄コントローラ（９５１）は、前記地理空間データおよび前記ガスタービン動作係数に基づいて、前記オンライン洗浄パラメータを決定するように構成される、請求項１に記載のシステム（９００）。
【請求項７】
前記オンライン洗浄コントローラ（９５１）は、ガスタービン動作パラメータを取得するようにさらに構成され、前記オンライン洗浄コントローラ（９５１）は、前記地理空間データおよび前記ガスタービン動作パラメータに基づいて、前記オンライン洗浄パラメータを決定するように構成される、請求項１に記載のシステム（９００）。
【請求項８】
ガスタービン（９０１）が位置する領域の地理空間データを取得するステップ（１０１０）と、
前記地理空間データに基づいて前記ガスタービン（９０１）のオンライン洗浄パラメータを決定するステップと、を含む方法（１０００）。
【請求項９】
前記ガスタービン（９０１）のオンライン洗浄を始動するステップ（１０８０）をさらに含む、請求項８に記載の方法（１０００）。
【請求項１０】
前記オンライン洗浄パラメータを決定するステップは、オンライン洗浄開始時刻を決定するステップ（１０４０）を含む、請求項８に記載の方法（１０００）。
【請求項１１】
前記オンライン洗浄パラメータを決定するステップは、オンライン洗浄期間を決定するステップ（１０５０）を含む、請求項８に記載の方法（１０００）。
【請求項１２】
前記オンライン洗浄パラメータを決定するステップは、オンライン洗浄流体配合を決定するステップ（１０６０）を含む、請求項８に記載の方法（１０００）。
【請求項１３】
ガスタービン動作係数を取得するステップ（１０２０）をさらに含み、前記地理空間データに基づいて前記オンライン洗浄パラメータを決定するステップは、前記地理空間データおよび前記ガスタービン動作係数に基づいて前記オンライン洗浄パラメータを決定するステップを含む、請求項８に記載の方法（１０００）。
【請求項１４】
ガスタービン動作パラメータを取得するステップ（１０３０）をさらに含み、前記地理空間データに基づいて前記オンライン洗浄パラメータを決定するステップは、前記地理空間データおよび前記ガスタービン動作パラメータに基づいて前記オンライン洗浄パラメータを決定するステップを含む、請求項８に記載の方法（１０００）。
【請求項１５】
命令を含むメモリ（１１２２）と、
前記メモリに結合されるプロセッサ（１１２１）と、を含み、
前記プロセッサは、前記命令を実行する場合に、ガスタービン（９０１）が位置する領域の地理空間データを取得する動作と、
前記地理空間データに基づいて前記ガスタービン（９０１）のオンライン洗浄パラメータを決定する動作と、を含む動作を達成するガスタービンオンライン洗浄コントローラ（９５１）。
【請求項１６】
前記動作は、前記ガスタービン（９０１）のオンライン洗浄を始動する動作をさらに含む、請求項１５に記載のガスタービンオンライン洗浄コントローラ（９５１）。
【請求項１７】
前記オンライン洗浄パラメータを決定する動作は、オンライン洗浄開始時刻を決定する動作を含む、請求項１５に記載のガスタービンオンライン洗浄コントローラ（９５１）。
【請求項１８】
前記オンライン洗浄パラメータを決定する動作は、オンライン洗浄期間を決定する動作を含む、請求項１５に記載のガスタービンオンライン洗浄コントローラ（９５１）。
【請求項１９】
前記オンライン洗浄パラメータを決定する動作は、オンライン洗浄流体配合を決定する動作を含む、請求項１５に記載のガスタービンオンライン洗浄コントローラ（９５１）。
【請求項２０】
ガスタービン動作係数を取得する動作をさらに含み、前記地理空間データに基づいて前記ガスタービン（９０１）の前記オンライン洗浄パラメータを決定する動作は、前記地理空間データおよび前記ガスタービン動作係数に基づいて、前記ガスタービン（９０１）の前記オンライン洗浄パラメータを決定する動作を含む、請求項１５に記載のガスタービンオンライン洗浄コントローラ（９５１）。
【発明の詳細な説明】
【技術分野】
【０００１】
本発明はガスタービンのオンライン洗浄制御に関する。
【背景技術】
【０００２】
ガスタービンは、燃焼タービンとも呼ばれることがあるが、空気を加圧し、チャンバ内で燃料を燃焼させることによって空気を加熱して、空気を構成するガスの温度を上昇させて、ガスを膨張させる内燃機関である。それから、ガスは、熱く膨張したガスによって生成されるエネルギーを取り出すために、タービンの方に導かれる。ガスタービンは、ジェットエンジンとしての、および工業用発電システムにおける用途を含む多くの実用的応用を有する。
【０００３】
ガスタービンは、正常運転中には、様々な大気要因および環境要因にさらされる。大部分の定置ガスタービンは吸気口空気濾過システムを備えているが、全ての大気物質および環境物質がタービンに入ることを防止することはできない。したがって、ガスタービンの構成要素は、様々な大気要因および環境要因により時間の経過と共に汚れる。この汚れに対処するために、ガスタービンの構成要素は、オフライン（すなわち、動作中でないときに）およびオンライン（すなわち、動作中に）で掃除または「洗浄」することができる。洗浄することは、ガスタービンの動作寿命を改善する一方で、ガスタービンの構成要素を摩耗させるおそれもある。したがって、ガスタービンオペレータは、必要以上により多くの摩耗をもたらさずにタービンの寿命を延ばすために、洗浄の頻度、期間および方法をより良く制御することによって洗浄効力を高めようとする。
【発明の概要】
【０００４】
例示的で非限定的な実施形態では、システムは、ガスタービンと、地理空間データを取得し、地理空間データに基づいてオンライン洗浄パラメータを決定するように構成されるオンライン洗浄コントローラと、を含むことができる。別の例示的で非限定的な実施形態では、方法は、ガスタービンが位置する領域の地理空間データを取得し、地理空間データに基づいてガスタービンのオンライン洗浄パラメータを決定するために開示される。別の例示的で非限定的な実施形態では、ガスタービンオンライン洗浄コントローラは、命令を含むメモリと、前記命令を実行する場合に、ガスタービンが位置する領域の地理空間データを取得し、地理空間データに基づいてガスタービンのオンライン洗浄パラメータを決定する、メモリに結合されるプロセッサと、を含むことができる。
【０００５】
前述の概要は、以下の詳細な説明と同様に、図面と共に読むとより良く理解される。請求する発明の主題を例示するために、様々な実施形態を示す実施例を図面に示すが、しかし、本発明は開示される特定のシステムおよび方法に限定されない。
【０００６】
本発明の主題のこれらの、ならびに他の特徴、態様および利点は、添付の図面を参照しつつ以下の詳細な説明を読めば、より良く理解されよう。
【図面の簡単な説明】
【０００７】
【図１】領域の降水量を示す図である。
【図２】領域の二酸化硫黄ガス量を示す図である。
【図３】煙、灰、および他の粒子の形成を示す図である。
【図４】特定の領域の標高を示す図である。
【図５】領域のダスト量を示す図である。
【図６】領域の２４時間の累積雨量を示す図である。
【図７】地理情報システムで用いることができる地理空間データの様々なレイヤを示す図である。
【図８】地理情報システムで用いることができる地理空間データの様々なレイヤの組み合わせを示す図である。
【図９】ガスタービンシステムの例示的な図である。
【図１０】オンライン洗浄パラメータを決定する非限定的で例示的な方法を示す図である。
【図１１】本明細書に開示する方法および装置の態様またはその一部を組み込むことができる汎用コンピュータシステムを表す例示的なブロック図である。
【発明を実施するための形態】
【０００８】
一実施形態では、ガスタービンで用いられる洗浄頻度および期間、ならびにタービンを洗浄するために用いる洗浄流体配合を決定するのを助けるために、地理空間的大気要因のおよび環境要因（ここでは「地理空間データ」と呼ぶ）を用いることができる。地理空間データは、通常ラスターデータまたはベクトルデータの形式をとる。ラスターデータは、セルのグリッドから構成することができ、各セルは値を有する。ラスターセルで用いられる最も一般的なデータタイプは、例えば多くのデジタル画像フォーマットで用いられる色値であるが、その代わりに他のタイプのデータをラスターセルで用いることができる。地理空間データのラスターセルの色は、各色が表すデータに関する情報を提供する付随する凡例と相互参照することができる。図１は、例えば図１の領域１１０、領域１１１、領域１１２、および領域１１３などの領域の降水量を表すラスターデータ１００の一例を示す。凡例１２０で分かるように、特定のセルの色は降水量に対応する「ｚに対するデシベル」（ＤＢＺ）を表すことができる。例えば、凡例１２０では、ブロック１２１はＤＢＺ値５０に対応する赤のシェードとすることができ、ブロック１２２はＤＢＺ値２５に対応する緑のシェードとすることができる。
【０００９】
図２は、ラスターデータ２００の別の例を示す。ラスターデータ２００は、火山噴火によって生じるＳＯ2ガスの形成を示す。領域２１０および領域２１１は、ＳＯ2ガスとして示されるラスターデータの例である。ラスターデータ２００の各セルの色は、凡例２２０によって定義することができ、領域のＳＯ2ガス量を表すことができる。例えば、点２２５では、シェードをオレンジとし、ＳＯ2ガスの１．５ドブソン単位（ＤＵ）の値（すなわち、５キロメートルの高さの大気柱におけるＳＯ2ガス量）に対応させることができる。
【００１０】
いくつかの実施形態では、ラスターセル値は、データの視覚的表示における特定の色、シェード、パターン、または透明度として後で示すことができる生のデータ値とすることができる。ラスターセル値は、例えば風速および風向成分を含む、または組み込むデータタイプなどの複合値とすることもできる。
【００１１】
ラスターデータは、例えば写真または図面などの生の画像データを含むこともできる。図３は、写真のラスターデータの一例を示す。図３は、火山噴火によって生じることができた煙、灰、および他の粒子３１０の形成を含む領域３００の画像を含む。写真または図面の各セルを数値と関係づけるために、生の画像データを解析することもできる。例えば、図３に示す画像は、そのラスターセルの色および不透明度に基づいて、画像のラスターセルごとに粒子濃度に関する値を決定するために、解析することができる。
【００１２】
ベクトルデータは、１つもしくは複数の幾何学的基本要素および幾何学的基本要素と関係する１つもしくは複数の値を形成するのに必要なデータの１つまたは複数の組とすることができる。幾何学的基本要素は、点、線、曲線、形状、または多角形を含むことができる。例えば、円を形成するのに必要な一組のデータは、形成されるものが円であるという指示、円の半径、および円の中心の位置を含むことができる。各幾何学的基本要素は、１つまたは複数の値と関係することができる。ここで説明するように、関係する値は、花粉、空気中の海塩、ダスト、煙、灰、ＳＯ2ガス、硫酸塩エアロゾル、温度、風、雲の形成、降水、降水のタイプ、湿度、および気圧に関するデータを含むことができる。例えば、図４は、地形の等高線図としても知られる標高を示すベクトルデータ表現４００を示す。多角形４１０、多角形４２０、および多角形４３０は領域を表す多角形の例であり、各多角形の関係する値はその領域の標高である。符号４４０の値（２４０）および符号４５０の値（２００）は、各々多角形と関係する領域の標高であり、ベクトルデータ表現で記される。ベクトルデータの別の例示的な使用は、ダスト形成を表すものであって、多角形はダスト形成の外側境界線を形成し、関係する値は空気中のダストの平均量を含む。
【００１３】
地理空間データは、１つのデータ形式から別のデータ形式に変換することもできる。例えば、ラスターデータはベクトルデータに変換することができ、逆も同様である。地理空間データは、地理情報システムに役立つ他のデータ形式に変換することもできる。例えば、写真のラスターデータまたは複数の写真のラスターデータは、写真のラスターデータのいくつかの態様を表す単一の数値またはランキングに変換することができる。図示するために、図３に示す写真のラスターデータ３００は全体として解析され、例えば、１の値が粒子状物質のないことを表し、１０の値が高レベルの粒子状物質を表す１から１０までのスケール上の６の値に変換することができる。このような変換では、同一領域を示す写真のラスターデータの他の組は、基準系を提供するために用いることもできる。後述するように、地理空間データ形式間の変換は、地理空間データが地理情報システムまたは地理情報システムの一部に入力される前に発生してもよい。
【００１４】
地理空間データは、衛星システム、レーダーシステム、および／または他のソースから取得することができる。衛星システムは、写真カメラ、赤外線カメラ、放射線センサー、レーダー、ライダー、および／または他の任意のリモートセンシング機器を用いて地理空間データを提供することができる。衛星システムにより提供される地理空間データは、これらに限定されないが、花粉、空中の海塩、ダスト、煙、灰、ＳＯ2ガス、硫酸塩エアロゾルおよび他の任意の粒子状物質に関するデータを含むことができる。衛星システムは、温度、風、雲の形成、および／または標高に関する地理空間データを提供することもできる。例えば、図５は、領域５００および領域５００の上空のダスト濃度に関する地理空間データを示す。図５の例えば区画５１０および区画５２０などのより暗い領域は、ダストのより高い濃度を示すことができ、一方、区画５３０などのより明るい領域はダストのより低い濃度を示すことができる。図３は、別の例を示すことができる。図３は、煙、灰、および他の粒子３１０の形成を含む領域３００の衛星写真を示す。
【００１５】
地理空間データは、地上のレーダーシステムを用いて取得することができる。地上のレーダーシステムは、花粉、空中の海塩、ダスト、煙、灰、および雲の形成に関するデータを含む衛星システムと同じ地理空間データのいくつかを提供することができる。地上のレーダーシステムは、降水に関する地理空間データを提供することもできる。図１は、地上のレーダーシステムから得られた降水に関する地理空間データを示す。
【００１６】
地理空間データの別の例示的なソースは、空中監視システムであってもよい。衛星システムと同様に、空中監視システムは、写真カメラ、赤外線カメラ、放射線センサー、レーダー、ライダー、および／または飛行機または他の飛行する乗り物に装着される他の任意のリモートセンシング機器を用いることができる。
【００１７】
地理空間データは、単一のソースから取得することに限定されず、複数のソースから集められたデータを含むことができる。例えば、地理空間データは、気象台のネットワークから集められた、例えば上述したタイプまたは降水の型、湿度、および気圧などの他のタイプのデータによって形成することができる。さらに、地理空間データを取得することは、上述したソースから直接に地理空間データを取得することに限定されず、例えばインターネット資源、国の気象サービス、または大気研究センターなどの第三者を通して、上述したソースから地理空間データを間接的に取得することも含む。
【００１８】
地理空間データは、歴史的なもの、予測されたもの、推定されたもの、計算されたもの、リアルタイムのもの、あるいはこれらの組み合わせであってもよい。歴史的な地理空間データは、過去の状態に関する地理空間データを含む。例えば、歴史的な地理空間データは、領域の過去の期間にわたって累積降水量に関するデータを含むことができる。図６は、２４時間の累積雨量に関する地理空間データを表す画像６００を示す。凡例６２０は、累積範囲を示すために色で符号化することができる。例えば、領域６１０は色を赤くして、顕著な累積雨量を示すことができる。歴史的な地理空間データは、過去の単一時点（例えば、２０１３年７月）または過去の単一時点の系列（例えば、過去１０年間の各７月）に関するデータを含むこともできる。
【００１９】
予測された地理空間データは、将来の状態に関する地理空間データを含む。例えば、予測された地理空間データは、図６に示すものと類似の形式をとることができる。しかし、過去の累積雨量に基づく代わりに、予測された地理空間データは２４時間の予測される雨量に基づいてもよい。歴史的な地理空間データと同様に、予測された地理空間データは、単一時点、単一時点の系列、または時間範囲に関するデータに基づいてもよい。
【００２０】
リアルタイム地理空間データは、現在の状態に関する地理空間データを含む。ここで説明するリアルタイム地理空間データとは、状態発生の瞬間から自動データ処理および／またはネットワーク伝送によりもたらされる時間遅延に適応するのに必要な時間までの時間範囲で発生した状態に関するデータを意味する。例えば、リアルタイム地理空間データの事例は、それが現在時刻から処理および伝送時間を差し引いた時刻に存在した状態に関するデータを含むことができる。リアルタイム地理空間データは、数秒以内に発生した状態に関するデータを含むことができる。
【００２１】
一実施形態では、領域の位置データは、地理空間データと共に用いることができる。位置データは、ガスタービンの位置を含むことができる。位置データは、単一の位置に限定されず、複数の位置を含むこともできる。位置データは、例えば地理空間データの地理的位置成分などの他の位置データの形式と両立できる形式をとることができる。位置データは、一対の緯度および経度座標を含むことができる。位置データは、標高成分を含むこともできる。位置データは、例えば一組の緯度および経度などの離散的な位置に限定されず、例えば緯度と経度座標の特定の組から半径２マイル以内の領域を含む位置などのように、より広く位置を定義することもできる。
【００２２】
領域の地理空間データおよび位置データは、地理情報システムによって用いることができる。地理情報システムは、地理空間データを格納し、操作し、解析し、提示することができるシステムとすることができる。図７は、地理情報システムの例示的な機能７００を示す。地理情報システムは、地理的地図として提示される単一または一連の地理空間データセットを用いることができる。ここで、地理空間データ表現７２０および地理空間データ表現７３０は、下にある地理的地図７１０に重ねることができる。下にある地理的地図７１０は、それ自体地理空間データ表現とみなすことができる。図７に関して、地理空間データセットは、位置７２５に関するデータおよびダスト雲７３５に関するデータを含む。図８に示すように、複合表現８００によって、ユーザーが視覚的にダスト雲８１０に関する地理空間データを地理的地図上の位置８２０に関連づけることができる。重ねる地理空間データ表現は、可視化を助けるために部分的に透明にすることができる。
【００２３】
図８の地理空間データ表現および一般的に任意の地理空間データ表現は、地理空間データを他の地理空間データに関連づけるのに役立つ形式をとることができ、それは一連の点、線、形状、多角形、および写真の表現を含む。地理空間データは、バイナリ（例えば、雨または雨でない）として、階調度（例えば、大雨に対する明るさ）として、絶対値（例えば、２インチの雨）として、または、代表値（例えば、雨の相対量を表す１から１０までのスケール上の２）として表現することができる。さらに、地理空間データは、大きさおよび方向（例えば、それぞれ風速および風向）を含むユークリッドベクトル（上記のベクトルデータとは異なる）として表現することができる。図８に示すように、地理情報システムは、与えられた地理的地図または表現が同時に重ねられる複数の地理空間データ表現を有することができるように、２つ以上の組の地理空間データを処理するように構成することができる。地理情報システムが、例えば図７の下にある地理的地図７１０などの、領域の取得されたもしくは決定された地理空間データまたは領域の決定された位置データを解析するために用いることができる格納された地理空間データを含むことができることも予想される。
【００２４】
本明細書に開示するように、地理的情報システムは、ガスタービンと関係する領域の位置データと共に地理空間データを受け取り、処理し、格納することができる。地理情報システムは、地理空間データおよびガスタービンの位置データのいずれかまたは両方の座標系を、それぞれの座標系が整合するように調整することができる。地理情報システムは、地理空間データを解析し、地理空間データの表現を生成することができる。地理空間データの表現の生成は、ラスターデータ形式からベクトルデータ形式へ、ベクトルデータ形式からラスターデータ形式へ、およびラスターもしくはベクトルデータ形式からリレーショナルデータベースデータ形式もしくは他の任意の形式への変換を含むことができる。地理空間データの表現の生成は、ほとんど変換を含まない場合もあるが、それは入力形式および地理情報システムにとって有用な形式に依存する。地理情報システムは、そのデータの単一の地理空間表現を形成するために、２つ以上の組の地理空間データを例えば交差によって結合することもできる。
【００２５】
地理情報システムは、位置データ（例えば、１つまたは複数のガスタービンの位置）の座標を、その座標の組に対応する地理空間データに関連づけることができ、このようにして、その位置についての環境要因を決定する。地理情報システムは、２つ以上の組の地理空間データを受け取ることができ、したがって、位置についての２つ以上の環境要因を決定することができる。地理情報システムは、地理空間データ表現および位置を、ユーザーがこれらを視覚的に関連づけることができるように、グラフィックディスプレイに表示することもできる。
【００２６】
一実施形態では、ガスタービンに関する１つまたは複数の動作係数は、決定することができ、または取得することができる。動作係数は、歴史的なもの、予測されたもの、リアルタイムのもの、あるいはこれらの任意の組み合わせであってもよい。動作係数は、ガスタービンの現在の運転状態に関する様々なデータを含むことができる。動作係数の例としては、ガスタービンの様々な部分の温度、排気温度、シャフト回転速度、圧力比、負荷、パワー出力、およびコンプレッサ羽根角度が挙げられる。動作係数は、例えばガスタービンのモデル、ガスタービンを構成する部品のモデル、ならびにガスタービンおよびそのパーツが構成される材料の性質などのより静的な係数であってもよい。動作係数は、ガスタービンで実行される負荷、始動、および保守の時間に関するものであってもよい。
【００２７】
歴史的な動作係数は、１つまたは複数の過去の事象または状態に基づくことができる。例えば、歴史的な動作係数は、負荷の累積時間またはガスタービンの始動回数に基づくことができる。さらに、歴史的な動作係数は、一組の１つまたは複数の過去の排気温度表示に基づくことができる。
【００２８】
予測された動作係数は、１つもしくは複数の将来の事象または状態に基づく動作係数である。予測された動作係数の例としては、将来の１年の負荷の予測される合計時間または将来の１０年でガスタービンで実行される保守サービスの予測される回数が挙げられる。予測された動作係数は、集められたセットとは対照的に、将来の１年の予測された国内の温暖などの単一の予測されたデータの一部を含んでもよい。
【００２９】
リアルタイム動作係数は、現時点で発生している１つもしくは複数の事象または状態に基づくことができる。例えば、リアルタイム動作係数は、現在のシャフト回転またはガスタービンの現在のパワー出力を含むことができる。リアルタイム動作係数とは、事象または状態の発生の瞬間から自動データ処理および／またはネットワーク伝送によりもたらされる時間遅延に適応するのに必要な時間までの時間範囲で発生した事象または状態に関する係数を意味する。言い換えれば、リアルタイム動作係数は、それが現在時刻から処理および伝送時間を差し引いた時刻に存在した事象または状態に関するデータを含むことができる。リアルタイム動作係数は、通常数秒以内に発生した事態または状態に関するデータを含む。
【００３０】
動作係数は、歴史的な動作係数、予測される動作係数、およびリアルタイム動作係数の組み合わせであってもよい。例えば、排気温度の移動平均は、歴史的な排気温度およびリアルタイム排気温度を含む。
【００３１】
図９は、例示的で非限定的なガスタービンシステム９００を示し、それはガスタービン９０１を含むことができる。ガスタービン９０１は、コンプレッサ９１０、タービン９１１、および空気取入口９１２で構成することができる。当業者には公知であるように、ガスタービンシステム９００が、開示される実施形態を明確に記載するために本明細書には記載していない多くの他の部品、構成要素、システム、およびサブシステムを含むことができる点に留意されたい。このような部品、構成要素、システム、およびサブシステムは、本明細書に開示される実施形態に含まれることができ、全てのこのような実施形態は本開示の範囲内であると考えられる。
【００３２】
システム９００では、ガスタービンシステム９００を停止せずにコンプレッサ９１０を掃除するためにオンライン洗浄を用いることができ、そして稼働スケジュールのため、より完全なオフライン洗浄を実行するための停止時間が得られない場合に、より清浄な動作によってシステムが効率を回復することができる。ノズルはコンプレッサ９１０に構成され、一実施形態では、コンプレッサ９１０のベルマウスケーシングに対する吸気口の上流の位置に、または直接に構成することができる。これらのノズルは、比較的低速の空気の領域内で水滴のスプレーミストまたは洗剤の液滴を生成することができる。システム９００、および特にコンプレッサ９１０が運転中である場合には、コンプレッサ９１０の回転によってできる負圧により、スプレーミストはコンプレッサ９１０のベルマウスを通り、コンプレッサ吸気口に吸い込まれる。
【００３３】
認識されるように、オンライン洗浄をあまりに頻繁に実行し、あるいはまれに実行することには不利益がある。また、あまりにも長時間あるいはあまりにも短時間のオンライン洗浄を実行することは、結果としてガスタービンの性能を低下させるおそれがある。例えば、過剰なオンライン洗浄（例えば、あまりにも頻繁に、または洗浄サイクル当たりあまりにも長時間オンライン洗浄を実行する）は浸食を助長し、ガスタービンの構成要素の寿命を短縮するおそれがある。不十分なオンライン洗浄（例えば、あまりにもまれに、または洗浄サイクル当たり不十分な長さでオンライン洗浄を実行する）は、結果としてガスタービンの構成要素の寿命を短縮するおそれがあるコンプレッサブレードに付着した薬剤の蓄積を増加させる可能性がある。必然的に、オフライン検査を実行しなければならず、それはガスタービンシステム９００の停止および少なくともその構成要素のいくつかの解体を必要とし、結果としてコストのかかる停止時間になる。適切なオンライン洗浄の間隔および期間は、オフライン検査および洗浄の間の許される時間を延長することができる。本明細書に記載する実施形態を用いて、タービンシステム・オペレータは、ガスタービンシステム９００がさらされる環境条件に関するデータに基づいて、タービン性能および寿命を改善する時間および期間になるように、オンライン洗浄の予定を組むことができる。
【００３４】
図９の貯蔵タンク９２０は、ある量の配合された洗浄流体を貯蔵することができる。このような洗浄流体は、所定の比率（例えば５０／５０であるが、開示される実施形態では任意の比率を用いてもよい）のエタノールおよび脱塩水の混合物またはメタノールおよび脱塩水の混合物とすることができる。当業者が認識するように、開示される実施形態では、他の洗浄流体混合物が想定され、それを用いることができる。貯蔵タンク９２０に貯蔵された配合された混合物の量は、レベルセンサー９２１によりモニターすることができ、ガスタービン９０１の要求、および／または、実行される洗浄プロセスの要求に基づく。エタノールもしくはメタノールと脱塩水との配合された混合物は、オンライン洗浄サイクルで用いるために、主供給ポンプ９２２および予備供給ポンプ９２３を介して、コンプレッサ９１０に提供することができる。
【００３５】
一実施形態では、洗浄制御サブシステム９５１は、マイクロプロセッサベースのガスタービンコントローラ９５０の一部として、またはそれと通信するように構成され、オンライン洗浄プロセスの一部として貯蔵タンク９２０からの流体のポンプ輸送を始動し、停止し、制御するために、ポンプ９２２および９２３の一方または両方を制御することができる。ここに記載する洗浄制御サブシステムは、オンライン洗浄パラメータを設定し、あるいはガスタービンのオンライン洗浄に影響を及ぼす、システム、装置、構成要素、もしくはコントローラ、またはこれらの任意の組み合わせおよび数であってもよいことに留意されたい。洗浄制御サブシステム９５１および／またはガスタービンコントローラ９５０は、オンラインの洗浄中に使用する構成要素を含むシステム９００の構成要素のいずれかに通信可能に接続し、あるいはそれを制御することができる。このような接続性は、有線手段または無線手段を用いて提供することができる。開示する実施形態を容易に示すために、このような接続性は図示していないが、洗浄制御サブシステム９５１および／またはガスタービンコントローラ９５０による構成要素の制御がどのようにして実現できるかは、当業者は容易に認識するであろう。システム９００の任意の構成要素を制御するために、洗浄制御サブシステム９５１および／またはガスタービンコントローラ９５０が用いることができる、接続性および制御の任意のタイプならびにタイプの組み合わせを用いることができ、全てのこのような実施形態は本開示の範囲内であると考えられる。
【００３６】
コンプレッサ９１０への配合された混合物の流量は、流量センサー９２５を用いて検出することができる。洗浄流体のこの流量を調整するために、調整バルブ９２４は洗浄制御サブシステム９５１によって制御することができる。洗浄制御サブシステム９５１は、システム９００がさらされる環境条件により良く対処するように、洗浄流体濃度および内容を調整する必要があり得ることを決定することができるので、脱イオン水を貯蔵する貯蔵タンク９３０をシステム９００に含めることができる。ここでさらに詳細に述べるように、洗浄制御サブシステム９５１は、より濃縮でない洗浄流体を用いてより効果的な洗浄を実行できることを決定することができ、したがって、流量センサー９３２を用いて脱イオン水の流量を検出することに基づいて、調整バルブ９３３操作することによってタンク９３０からの脱イオン水の追加を制御することができる。一実施形態では、洗浄流体は、空気取入口９１２を通ってコンプレッサ９１０のベルマウスに最終的に供給され、それから、オンラインの洗浄サイクルを実行するために用いることができる。
【００３７】
例示的実施形態では、洗浄制御サブシステム９５１は、オンライン洗浄の頻度、タイミング、および継続時間、ならびにこのような洗浄で用いられる洗浄流体の濃度を制御するための一組のルールを実行するために、ソフトウェアプログラム制御の下で動作する。例示的実施形態では、ソフトウェアプログラムは、上で開示した地理空間データに基づく所定のアルゴリズムを含むことができる。一実施形態では、ガスタービンコントローラ９５０および／または洗浄制御サブシステム９５１は、地理情報システム９６０から地理空間データを取得することができる。地理情報システム９６０は、本明細書に記載したように任意のタイプおよび数の地理情報システムであってもよいし、あるいは、地理空間データを収集し提供することができる他の任意のタイプおよび数のシステムであってもよい。ガスタービンコントローラ９５０および／または洗浄制御サブシステム９５１は、任意の通信手段を用いて地理情報システム９６０と通信することができる。地理空間データは、地理情報システム９６０によって、ガスタービンコントローラ９５０および／または洗浄制御サブシステム９５１に優先して送信することができ、あるいはガスタービンコントローラ９５０および／または洗浄制御サブシステム９５１からこのようなデータの要求を受けることで提供することができる。オンライン洗浄の頻度、継続時間、および流体配合を決定するための、ガスタービンコントローラ９５０および／または洗浄制御サブシステム９５１が利用可能な現在の地理空間データを有するように、このようなデータは、定期的な間隔で、または連続的に、提供または要求することができる。全てのこのような実施形態は、本開示の範囲内であると考えられる。
【００３８】
ガスタービンコントローラ９５０および／または洗浄制御サブシステム９５１は、オンライン洗浄の頻度、継続時間、および流体配合を決定するための動作係数およびタービン動作パラメータを用いることもできる。動作係数は、上述したような係数（例えば、歴史的な動作係数、予測される動作係数、およびリアルタイム動作係数）とすることができる。動作パラメータは、例えば手動および自動で設定され再調整することができる動作設定などの、ガスタービンシステム９００に関する他のいかなるデータまたは情報も含むことができる。動作係数およびタービン動作パラメータは、ガスタービンコントローラ９５０から洗浄制御サブシステム９５１で取得することができ、ガスタービンコントローラ９５０は、当業者には周知である任意の手段または方法を用いて、システム９００の構成要素からこのようなデータを取得することができる。代わりに、または、さらに、洗浄制御サブシステム９５１は、システム９００の様々な構成要素から動作係数およびタービン動作パラメータを直接取得することができる。全てのこのような実施形態は、本開示の範囲内であると考えられる。
【００３９】
図１０は、オンライン洗浄制御システムまたはサブシステムによってオンライン洗浄のためのパラメータを決定するために用いられる、オンライン洗浄の継続時間（オンライン洗浄の開始および終了）、頻度、および流体配合を決定し制御する方法１０００を示す。ブロック１０１０では、地理空間データを取得することができる。これは、このようなデータを提供することができる地理情報システムまたは他の任意のシステムに問い合わせることによって達成することができ、あるいは、このようなデータは、オンライン洗浄制御システムまたはサブシステムに自動的にまたは積極的に提供することができる。
【００４０】
ブロック１０２０では、ガスタービンシステム動作係数を取得することができる。これらの動作係数は過去のオンライン洗浄についてのデータを含むことができ、それはこのような洗浄の継続時間、洗浄開始および完了の時刻、ならびに洗浄で用いられる流体配合を含む。動作係数は、このようなデータを提供することができる１つもしくは複数のガスタービンシステムまたは構成要素に問い合わせることによって、取得することができる。あるいは、このようなシステムまたは構成要素は、オンライン洗浄制御システムまたはサブシステムにこのようなデータを自動的に提供するように構成することができる。別の代替案では、このようなシステムまたは構成要素は受動的であってもよく、オンライン洗浄制御システムまたはサブシステムにこのようなデータを次々に提供する１つもしくは複数のシステムまたはガスタービンシステムの構成要素によってモニターすることができる。さらに別の実施形態では、このようなシステムまたは構成要素は、受動的であってもよく、オンライン洗浄制御システムまたはサブシステムによってモニターすることができる。全てのこのような実施形態およびそれらのいかなる組み合わせも、本開示の範囲内であると考えられる。
【００４１】
ブロック１０３０では、ガスタービンシステム動作パラメータを取得することができる。これらのパラメータは、例えばガスタービンシステム・オペレータによって、固定または予め設定することができる任意のオンライン洗浄パラメータを含むことができる。例えば、いくつかの実施形態では、オンライン洗浄で用いられる流体配合は、オンライン洗浄制御システムまたはサブシステムによって調整可能でなくてもよい。これは、オンライン洗浄制御システムまたはサブシステムによって動作パラメータとして考慮することができる。動作パラメータは、このようなデータを提供することができる１つもしくは複数のガスタービンシステムまたは構成要素に問い合わせることによって、取得することができる。あるいは、このようなシステムまたは構成要素は、例えば、オンラインの洗浄制御システムまたはサブシステムにこのようなデータを自動的に提供するように構成することができ、レポーティングシステムまたは構成要素の任意の構成が調整または操作されると、自動的な更新を提供する。別の代替案では、このようなシステムまたは構成要素は受動的であってもよく、オンライン洗浄制御システムまたはサブシステムにこのようなデータを次々に提供する１つもしくは複数のシステムまたはガスタービンシステムの構成要素によってモニターすることができる。さらに別の実施形態では、このようなシステムまたは構成要素は、受動的であってもよく、オンライン洗浄制御システムまたはサブシステムによってモニターすることができる。全てのこのような実施形態およびそれらのいかなる組み合わせも、本開示の範囲内であると考えられる。
【００４２】
ブロック１０４０では、オンライン洗浄の開始時刻パラメータを決定することができる。これは、地理空間データ、動作パラメータ、および動作係数の１つまたは複数に基づいて決定することができる。同様に、ブロック１０５０では、オンライン洗浄の継続時間パラメータを、地理空間データ、動作パラメータ、および動作係数の１つまたは複数に基づいて決定することができる。ブロック１０６０では、オンライン洗浄の流体配合パラメータを、地理空間データ、動作パラメータ、および動作係数の１つまたは複数に基づいて決定することができる。流体配合パラメータは、流体の実際の配合を表す実際の流体配合濃度または類似の値の形式をとってもよく、あるいは、このパラメータは、例えば調整バルブおよび／または流体ポンプの設定などの設定の形式をとってもよい。全てのこのような実施形態は、本開示の範囲内であると考えられる。
【００４３】
ブロック１０７０では、オンライン洗浄の開始時刻が来たかどうかの決定をすることができる。そうでない場合には、方法１０００は、データを評価して再びオンライン洗浄パラメータを決定するために、ブロック１０１０に戻ることができる。このようにして、方法１０００を実行するシステムは、変化する環境およびタービン状態に応答するために、オンライン洗浄パラメータを連続的に更新することができ、このようにして、本開示の実施形態を用いる利点をさらに増加させる。あるいは、オンライン洗浄開始時刻が来ていないが、次のオンライン洗浄のためのパラメータが決定された場合には、方法１０００を実行するシステムは、単純に決定された開始時刻の到来を待って、その時刻が来たときにオンライン洗浄を実行することができる。
【００４４】
ブロック１０７０で、次のオンライン洗浄の開始時刻が来たと決定された場合には、ブロック１０８０で、決定されたオンライン洗浄パラメータに従ってオンライン洗浄を始動し実行することができ、それは決定された流体配合を用いること、および決定された継続時間で洗浄を実行することを含む。ブロック１０９０では、オンライン洗浄パラメータは、例えばブロック１０２０が次に実行される場合など、将来の評価の際にアクセスできるように格納することができる。
【００４５】
開示した実施形態に従って決定されるオンライン洗浄パラメータは、個別のガスタービンシステムに、または複数のガスタービンシステムに適用できる点に留意されたい。例えば、個別のガスタービンは、そのタービン専用の単一のオンライン洗浄制御サブシステムによって制御されるオンライン洗浄システムを有することができる。あるいは、単一のオンライン洗浄制御システムは、サイトの全てのガスタービン、地理的領域の全てのガスタービン、または複数のガスタービンの他のいくつかの組のオンライン洗浄パラメータを決定することができる。全てのこのような実施形態は、本開示の範囲内であると考えられる。
【００４６】
本明細書に記載するシステムおよび方法の技術的な効果は、より効果的な方法でガスタービンオンライン洗浄を実行することにより、ガスタービン部品および構成要素の摩耗が低減されることである。当業者には明らかなように、開示されたプロセスおよびシステムを用いることによって、ガスタービンの動作効率および寿命を改善することができる。さらにより大きなガスタービン性能および効率を達成するために、開示されたシステムおよび方法を他のシステムおよび技術と組み合わせることができることを、当業者は認識するであろう。全てのこのような実施形態は、本開示の範囲内であると考えられる。
【００４７】
図１１および以下の説明は、本明細書に開示する方法およびシステムならびに／またはその一部を実装することができる好適なコンピューティング環境の簡潔な概要を提供することを目的とする。例えば、地理情報システム９６０、ガスタービンコントローラ９５０、および洗浄制御サブシステム９５１の機能は、図１１に関して記載する態様のいくつかまたは全部を含む１つまたは複数の装置によって実行することができる。請求する実施形態の機能を実行するために用いることができる図１１に記載した装置のいくつかまたは全ては、図９に関して記載したようなシステムに埋め込むことができるコントローラにおいて構成することができる。あるいは、図１１に記載した装置のいくつかまたは全ては、開示する実施形態の任意の態様を実行する任意の装置、装置の組み合わせ、または任意のシステムに含めることができる。
【００４８】
必要というわけではないが、本明細書に開示する方法および装置は、クライアント・ワークステーション、サーバー、またはパーソナルコンピュータなどのコンピュータによって実行されるプログラムモジュールなどのコンピュータ実行可能命令の一般的な文脈に記載することができる。このようなコンピュータ実行可能命令は、それ自体が一時的な信号ではないコンピュータ可読記憶装置の任意のタイプに格納することができる。一般に、プログラムモジュールは、特定のタスクを実行するか、または特定の抽象的なデータタイプを実装する、ルーチン、プログラム、オブジェクト、構成要素、データ構造などを含む。さらに、本明細書に開示する方法およびシステムならびに／またはその一部は、ハンドヘルド装置、マルチプロセッサシステム、マイクロプロセッサベースのもしくはプログラム可能な民生用電子機器、ネットワークＰＣ、ミニコンピュータ、メインフレームコンピュータなどを含む他のコンピュータシステム構成によって実行できることが理解されるべきである。また本明細書に開示する方法およびシステムは、通信ネットワークを通してリンクされた遠隔処理装置によってタスクが実行される分散型コンピューティング環境で実行されてもよい。分散型コンピューティング環境では、プログラムモジュールは、ローカルおよびリモートメモリ記憶装置に配置することができる。
【００４９】
図１１は、本明細書に開示する方法および装置の態様および／またはその一部を組み込むことができる汎用コンピュータシステムを表すブロック図である。図示するように、例示的な汎用コンピューティングシステムはコンピュータ１１２０などを含み、それは処理ユニット１１２１、システムメモリ１１２２、およびシステムメモリを含む様々なシステム構成要素を処理ユニット１１２１に結合するシステムバス１１２３を含む。システムバス１１２３は、メモリバスもしくはメモリコントローラ、周辺バス、および種々のバスアーキテクチャのいずれかを用いるローカルバスを含むいくつかのタイプのバス構造のいずれであってもよい。システムメモリは、読出し専用メモリ（ＲＯＭ）１１２４およびランダムアクセスメモリ（ＲＡＭ）１１２５を含むことができる。基本入力／出力システム１１２６（ＢＩＯＳ）は、例えば始動中などにコンピュータ１１２０内の要素間の情報の転送に役に立つ基本ルーチンを含んでおり、ＲＯＭ１１２４に格納される。
【００５０】
コンピュータ１１２０は、ハードディスク（図示せず）から読み出しそれに書き込むためのハードディスクドライブ１１２７、リムーバブル磁気ディスク１１２９から読み出しもしくはそれに書き込むための磁気ディスクドライブ１１２８、および／または例えばＣＤ−ＲＯＭもしくは他の光学媒体などのリムーバブル光ディスク１１３１から読み出しもしくはそれに書き込むための光学ディスクドライブ１１３０をさらに含むことができる。ハードディスクドライブ１１２７、磁気ディスクドライブ１１２８、および光学ディスクドライブ１１３０は、ハードディスクドライブ・インターフェース１１３２、磁気ディスクドライブ・インターフェース１１３３、および光学ドライブ・インターフェース１１３４によってシステムバス１１２３にそれぞれ接続することができる。ドライブおよびそれらの関連するコンピュータ可読媒体は、コンピュータ１１２０のためのコンピュータ可読命令、データ構造、プログラムモジュール、および他のデータの不揮発性記憶を提供する。
【００５１】
本明細書に記載した例示的な環境では、ハードディスク、リムーバブル磁気ディスク１１２９、およびリムーバブル光ディスク１１３１を用いているが、コンピュータがアクセス可能なデータを格納することができる他のタイプのコンピュータ可読媒体を例示的な動作環境で用いることもできることを理解するべきである。このような他のタイプの媒体としては、磁気カセット、フラッシュメモリカード、デジタルビデオもしくは多用途ディスク、ベルヌーイカートリッジ、ランダムアクセスメモリ（ＲＡＭ）、および読出し専用メモリ（ＲＯＭ）などがあるが、これらに限定されるものではない。
【００５２】
オペレーティングシステム１１３５、１つもしくは複数のアプリケーションプログラム１１３６、他のプログラムモジュール１１３７、およびプログラムデータ１１３８を含むいくつかのプログラムモジュールが、ハードディスクドライブ１１２７、磁気ディスク１１２９、光ディスク１１３１、ＲＯＭ１１２４、および／またはＲＡＭ１１２５に格納される。ユーザーは、キーボード１１４０およびポインティングデバイス１１４２などの入力デバイスを介して、コマンドおよび情報をコンピュータ１１２０に入力することができる。他の入力デバイス（図示せず）は、マイクロホン、ジョイスティック、ゲームパッド、サテライトディスク、スキャナなどを含むことができる。これらのおよび他の入力デバイスは、システムバスに結合されたシリアルポート・インターフェース１１４６を介して処理ユニット１１２１に接続されることが多いが、パラレルポート、ゲームポート、またはユニバーサルシリアルバス（ＵＳＢ）などの他のインターフェースを介して接続することもできる。またモニター１１４７または他のタイプのディスプレイ装置も、例えばビデオアダプタ１１４８などのインターフェースを介してシステムバス１１２３に接続される。モニター１１４７の他に、コンピュータは、例えばスピーカおよびプリンタなどの他の周辺出力デバイス（図示せず）を含むことができる。図１１の例示的システムは、ホストアダプタ１１５５、小型コンピュータシステム・インターフェース（ＳＣＳＩ）バス１１５６、およびＳＣＳＩバス１１５６に接続することができる外部記憶装置１１６２を含むこともできる。
【００５３】
コンピュータ１１２０は、例えば地理情報システム９６０、ガスタービンコントローラ９５０、および洗浄制御サブシステム９５１などの１つもしくは複数のリモートコンピュータまたは装置への論理的および／または物理的接続を用いるネットワーク化された環境で動作することができる。地理情報システム９６０、ガスタービンコントローラ９５０、および洗浄制御サブシステム９５１の各々は、本明細書に記載したように開示された実施形態の態様を実行することができるいかなる装置であってもよい。リモートコンピュータ１１４９は、パーソナルコンピュータ、サーバー、ルーター、ネットワークＰＣ、ピアデバイス、または他の共通ネットワークノードであってもよく、コンピュータ１１２０に関して上述した要素の多くまたは全てを含むことができるが、図１１にはメモリ記憶装置１１５０のみを示す。図１１に示す論理的接続は、ローカルエリア・ネットワーク（ＬＡＮ）１１５１およびワイドエリア・ネットワーク（ＷＡＮ）１１５２を含むことができる。このようなネットワーク環境は、オフィス、企業の広範なコンピュータネットワーク、イントラネット、およびインターネットで普通に見られるものである。
【００５４】
ＬＡＮネットワーキング環境で用いる場合には、コンピュータ１１２０は、ネットワーク・インターフェースまたはアダプタ１１５３を介してＬＡＮ１１５１に接続することができる。ＷＡＮネットワーキング環境で用いる場合には、コンピュータ１１２０は、例えばインターネットなどのワイドエリア・ネットワーク１１５２上の通信を確立するためのモデム１１５４または他の手段を含むことができる。モデム１１５４は、内部にあっても外部にあってもよく、シリアルポート・インターフェース１１４６を介してシステムバス１１２３に接続することができる。ネットワーク化された環境では、コンピュータ１１２０に関連して示されるプログラムモジュール、またはその一部は、リモートメモリ記憶装置に格納することができる。図示したネットワーク接続は例示的なものであり、コンピュータ間の通信リンクを確立する他の手段を用いることができることはいうまでもない。
【００５５】
コンピュータ１１２０は、様々なコンピュータ可読記憶媒体を含むことができる。コンピュータ可読記憶媒体は、コンピュータ１１２０がアクセスでき、揮発性媒体および不揮発性媒体、ならびに取り外し可能な媒体および取り外し不可能な媒体の両方を含む、任意の有形か、非一時的か、または非伝搬性の利用可能な媒体であってもよい。例えば、これに限らないが、コンピュータ可読媒体はコンピュータ記憶媒体および通信媒体を含むことができる。コンピュータ記憶媒体は、コンピュータ可読命令、データ構造、プログラムモジュール、または他のデータなどの情報を記憶するための任意の方法または技術で実現される揮発性媒体および不揮発性媒体、ならびに取り外し可能な媒体および取り外し不可能な媒体を含む。コンピュータ記憶媒体は、ＲＡＭ、ＲＯＭ、ＥＥＰＲＯＭ、フラッシュメモリもしくは他のメモリ技術、ＣＤ−ＲＯＭ、デジタル多用途ディスク（ＤＶＤ）もしくは他の光学ディスク記憶装置、磁気カセット、磁気テープ、磁気ディスク記憶装置もしくは他の磁気記憶装置、または所望の情報を格納するために用いることができ、コンピュータ１１２０がアクセスすることができる他の任意の有形の媒体を含むが、これらに限定されない。上記のいずれかの組み合わせも、本明細書に記載した方法およびシステムを実装するためのソースコードを格納するために用いることができるコンピュータ可読媒体の範囲内に含まれるべきである。本明細書に開示した特徴または要素のいかなる組み合わせも、１つまたは複数の実施形態で用いることができる。
【００５６】
本明細書は、ここに含まれる発明の主題を開示するために実施例を用いており、最良の形態を含んでいる。また、いかなる当業者も本発明を実施することができるように実施例を用いており、任意のデバイスまたはシステムを製作し使用し、任意の組み込まれた方法を実行することを含んでいる。この開示の特許され得る範囲は、請求項によって定義され、当業者が想到する他の実施例を含むことができる。このような他の実施例が請求項の字義通りの文言と異ならない構造要素を有する場合、または、それらが請求項の字義通りの文言と実質的な差異のない等価な構造要素を含む場合には、このような他の実施例は特許請求の範囲内であることを意図している。
【符号の説明】
【００５７】
１００  ラスターデータ
１１０  領域
１１１  領域
１１２  領域
１１３  領域
１２０  凡例
１２１  ブロック
１２２  ブロック
２００  ラスターデータ
２１０  領域
２１１  領域
２２０  凡例
２２５  点
２４０  値
３００  領域、ラスターデータ
３１０  粒子
４００  ベクトルデータ表現
４１０  多角形
４２０  多角形
４３０  多角形
５００  領域
５１０  区画
５２０  区画
５３０  区画
６００  画像
６１０  領域
６２０  凡例
７００  機能
７１０  地図
７２０  地理空間データ表現
７２５  位置
７３０  地理空間データ表現
７３５  ダスト雲
８００  複合表現
８１０  ダスト雲
８２０  位置
９００  ガスタービンシステム、システム
９０１  ガスタービン
９１０  コンプレッサ
９１１  タービン
９１２  空気取入口
９２０  貯蔵タンク
９２１  レベルセンサー
９２２  主供給ポンプ、ポンプ
９２３  予備供給ポンプ、ポンプ
９２４  調整バルブ
９２５  流量センサー
９３０  貯蔵タンク、タンク
９３２  流量センサー
９３３  調整バルブ
９５０  ガスタービンコントローラ
９５１  洗浄制御サブシステム
９６０  地理情報システム
１０００  方法
１０１０  ブロック
１０２０  ブロック
１０３０  ブロック
１０４０  ブロック
１０５０  ブロック
１０６０  ブロック
１０７０  ブロック
１０８０  ブロック
１０９０  ブロック
１１２０  コンピュータ
１１２１  処理ユニット、プロセッサ
１１２２  システムメモリ、メモリ
１１２３  システムバス
１１２４  ＲＯＭ
１１２５  ＲＡＭ
１１２６  ＢＩＯＳ）
１１２７  ハードディスクドライブ
１１２８  磁気ディスクドライブ
１１２９  リムーバブル磁気ディスク、磁気ディスク
１１３０  光学ディスクドライブ
１１３１  リムーバブル光ディスク、光ディスク
１１３２  ハードディスクドライブ・インターフェース
１１３３  磁気ディスクドライブ・インターフェース
１１３４  光学ディスクドライブ・インターフェース
１１３５  オペレーティングシステム
１１３６  アプリケーションプログラム
１１３７  プログラムモジュール
１１３８  プログラムデータ
１１４０  キーボード
１１４２  ポインティングデバイス
１１４６  シリアルポート・インターフェース
１１４７  モニター
１１４８  ビデオアダプタ
１１４９  リモートコンピュータ
１１５０  メモリ記憶装置
１１５１  ＬＡＮ
１１５２  ワイドエリア・ネットワーク（ＷＡＮ）
１１５３  アダプタ
１１５４  モデム
１１５５  ホストアダプタ
１１５６  小型コンピュータシステム・インターフェース（ＳＣＳＩ）バス
１１６２  外部記憶装置
【図１】
2015110945.tif 000003
【図２】
2015110945.tif 000004
【図３】
2015110945.tif 000005
【図４】
2015110945.tif 000006
【図５】
2015110945.tif 000007
【図６】
2015110945.tif 000008
【図７】
2015110945.tif 000009
【図８】
2015110945.tif 000010
【図９】
2015110945.tif 000011
【図１０】
2015110945.tif 000012
【図１１】
2015110945.tif 000013
【外国語明細書】
2015110945000001.pdf